(57)【要約】【課題】開封する容器の部分だけ破断し、他の容器まで切り込まないで、安全に切り離すことができると共に、決められた大きさの蓋材のフィルム面積であっても、その大きさで最大の収納可能な容量にすることができる分封容器を得る。【解決手段】単品あるいは異なる複数の薬を、患者の服用する日時に合わせて分封する容器であって、少なくとも蓋材（３）とシート成形容器（２）とからなり、前記蓋材は前記シート成形容器上面周縁に融着されており、前記蓋材は正六角形であり、脆弱部（２１２）を介して、他の蓋材と接続されていることを特徴とする分封容器（１）。【選択図】図３
2019058233.tif 000002
【特許請求の範囲】
【請求項１】
単品あるいは異なる複数の薬を、患者の服用する日時に合わせて分封する容器であって、少なくとも蓋材とシート成形容器とからなり、前記蓋材は前記シート成形容器上面周縁に融着されており、
前記蓋材は正六角形であり、脆弱部を介して、他の蓋材と接続されていることを特徴とする分封容器。
【請求項２】
前記シート成形容器は円形であることを特徴とする請求項１に記載の分封容器。
【請求項３】
蓋材上面に、連続した日時等を記載したことを特徴とする請求項１または２に記載の分封容器。
【発明の詳細な説明】
【技術分野】
【０００１】
本発明は、単品あるいは異なる複数の薬を、患者の服用する日時に合わせて分封し、患者の飲み忘れを防止する分封容器に関する。
【背景技術】
【０００２】
患者の服用に合わせて分封する容器は、患者用にとって有用である。粉末状や顆粒状の薬を分封するのはもちろんのこと、異なった錠剤を服用する時にも、各々の薬の容器を開けて取り出す手間が省けるので、薬をこぼしたりしにくいだけでなく、飲み忘れや重複服用などの間違いを予防し、確実に服用する薬を用意でき、役立っている。
特に、日時によって処方する薬や量が異なる場合、服用日時を忘れがちになる場合にも、服用する日時が記載されていると、有用である。
飲み忘れの確認も明確になり、患者、及び患者周囲の人々の負担を軽くするのに役立つ。
【０００３】
例えば、特許文献１では、フィルムによって封止される多数の収納部を有するシート成形容器を分封容器とし、表面のシールフィルムを利用し、服用する日を示す行と、服用時間を示す列とによって、１週間分の処方を一つのパッケージにまとめ、それぞれがミシン目で切り離し可能な容器として提案している。
【０００４】
しかし、このパッケージは、四角の容器に四角の蓋材３を融着しているので、容器の周囲に一定の融着幅を有するフィルムシール面を設ける必要があり、容器の収納容量に対するシール面積の比率が大きく、決められた蓋材のフィルム面積にするには、ひとつひとつの容器の大きさを小さくせざるを得ない状況であった。
特に、縦横に並列に並べられた配置になっていると、切り離す時に、隣の切り離し部分にも切り離す力が伝わりやすい。さらに、収納部が四角形であると、角があるので、予定しなかった部分まで、切れてしまったり、あるいは、隣の容器まで切り裂いて蓋材を剥離してしまったりするケースが多い。この場合、先に服用する予定の内容物を落下させたり、飛び散らせてしまったりするなど、大きな問題となる。
その上、蓋材が四角の収納部角がきっかけとなって、あらぬ方向に引き裂かれ、剥離できず、開封できないなどの問題も発生しやすい。
また、切り離す力が多大に掛かり、力が無い人には、切り離しにくいなどの問題もあった。
この為、開封する時に蓋材３の端部をつかむ「つかみシロ」が大きめに必要であり、その分、収納部を狭くすることが必要であった。
このような問題に対処するには、収納部の開口部形状は円形が好ましい。しかし、その場合、非収納部であるシール面比率が大きくなり、収納部の大きさが大きくできないといった問題があった。
【先行技術文献】
【特許文献】
【０００５】
【特許文献１】特表２０１０−５１７６５１号公報
【発明の概要】
【発明が解決しようとする課題】
【０００６】
そこで、開封する容器の部分だけ破断し、他の容器まで切り込まないで、安全に切り離すことができると共に、決められた大きさの蓋材のフィルム面積であっても、その大きさで最大の収納可能な容量にすることができる分封容器を得ることが本発明の課題である。
【課題を解決するための手段】
【０００７】
本発明は、単品あるいは異なる複数の薬を、患者の服用する日時に合わせて分封する容器であって、少なくとも蓋材とシート成形容器とからなり、前記蓋材は前記シート成形容器上面周縁に融着されており、
前記蓋材は正六角形であり、脆弱部を介して、他の蓋材と接続されている
ことを特徴とする分封容器である。 
【発明の効果】
【０００８】
本発明の分封容器は、Ａ４サイズに最大２８個の容器が収まり、かつ容器の収納部の容量を最大にすることができる。
【図面の簡単な説明】
【０００９】
【図１】本発明の実施形態例で、Ａ４サイズの大きさで、一日４回で、1週間分の薬を分封した容器の配置を示す平面図である。
【図２】従来の分封容器における形態の一例で、Ａ４サイズの大きさで、一日４回で、1週間分の薬を分封した容器の配置を示す平面図である。
【図３】本発明の実施形態例における１週間分の分封容器を表わす外観を示す斜視図である。
【図４】本発明の実施形態例における一回分の分封容器を示す斜視図である。
【図５】本発明の実施形態例における分封容器を拡大した縦断面図である。
【発明を実施するための形態】
【００１０】
以下、本発明の実施形態例について、図を用いて詳細に説明する。
図１は、本発明の分封容器１における実施形態例で、全体の大きさは市販のインクジェットプリンターで印刷し易いＡ４サイズで、一日４回で、１週間分の薬を分封した分封容器１で、その配置を示す平面図である。
上面には、服用する日付や曜日、服用時間などの情報が記載され、服用時間に応じてその時に服用する分だけ開封可能であり、服用時間毎にそれぞれ分割可能な分封容器１となっている。
分封容器１は、図３の斜視図で示すように、シート成形容器２と、蓋材３と、から構成されている。
シート成形容器２は、一定の厚みを有する熱可塑性樹脂を主体としたシートを使用し、真空成形、圧空成形、あるいは真空圧空成形などで成形されるシート成形品である。
蓋材３は、シート成形容器２の上面にあって剥離可能なシーラント層を内面に有する多層フィルムから構成されている。
【００１１】
一服分に相当する個々の分封容器１を図４に示した。
本発明の分封容器１に使用されるシート成形容器２は、上面に平坦なシール面２１を有し、収納部２２として、シール面端部から下方に垂下する円筒状の側壁２２１と、側壁２２１下端から内側に延びた底部２２２とから形成される容器である。
底部２２２は、必ずしも図４に示したような平面でなくても、球面等でもかまわない。
シール面２１の外端部２１１は円形に形成されている。
シール面２１上面には、シール面２１と共に、収納部２２を覆う蓋材３が融着されている。
【００１２】
図５に分封容器１を拡大した縦断面図を示した。
【００１３】
蓋材３は、外側に紙などのインクジェットプリンター等の簡易な印刷機で印刷可能な基材３１を用いる。この為、外形寸法は定められた用紙範囲で一般的な、簡易印刷し易く、かつ、できるだけ大きな面積を確保したい為、Ａ４のような大きさにすることが好ましい
。蓋材は正六角形に形成されており、脆弱部で隣の容器の蓋材と接続されている。
【００１４】
最内層には、シート成形品２に融着可能で、かつ、剥離可能なシーラント層３２を用いる。
シーラント層に用いる材質としては、低密度ポリエチレン、直鎖状低密度ポリエチレン、エチレン・プロピレン共重合体、エチレン・酢酸エチル共重合体、エチレン・アクリル酸共重合体、エチレン・メタアクリル酸共重合体、エチレン・メチルアクリレート共重合体、エチレン・エチルアクリレート共重合体、エチレン・ブチルアクリレート共重合体、アイオノマー樹脂や、それらの混合樹脂、あるいは、それらに、エチレン・グリシジル・ジメタクリレートなどの低分子量樹脂などを混合した樹脂などで、市販されているイージーオープン用フィルムの使用も考えられる。
【００１５】
基材３１とシーラント層３２の間には、アルミニウムなどの金属箔や酸化珪素などの酸化金属蒸着層からなるバリア層３３を設けて、酸素ガスや水蒸気のバリア性を高くしておくことが好ましい。バリア層はポリエチレン層３４、３５などで積層しておくことができる。
【００１６】
さらに、シーラント層３２にタック性があった場合には、シーラント層の表面に剥離紙や剥離フィルムを配置し、印刷時のシーラント面に対する防汚対策を施しておくことが好ましい。
【００１７】
蓋材３は、積層後もしくはシート成形容器の融着後に個々の正六角形状に合わせ、ビク刃やレーザー光等で切り離ししやすいように薄肉化、あるいはミシン目のように、部分的に切断して、脆弱部３０を加工しておく。
【００１８】
シート成形容器２に用いるシートは、高密度ポリエチレン、中密度ポリエチレン、環状ポリオレフィン、ポリプロピレン、ポリスチレン、ブタジエン・スチレン共重合体、アクリロニトリル・スチレン共重合体、アクリロニトリル・ブタジエン・スチレン共重合体、ポリエチレンテレフタレートなどの樹脂シートや、それらの積層シートを使用することができる。
【００１９】
収納部を円柱状とし、シール部の最小融着幅を２ｍｍとした場合、縦横並列の場合、図２のようになって、その収納部の上面は、最大φ３８．４３ｍｍで、１１．６ｃｍ２となる。これを、図１のように本発明の正六角形で配置した場合、収納部の上面は、最大φ４２．６７ｍｍで１４．３０ｃｍ２と、２３％大きな面積を得ることができた。
また、蓋材が正六角形で、シート成形容器の外縁部が円形であるので、シート成形容器の外縁部から蓋材の角部が突出しているため蓋材をつかみやすいといったメリットもある。
【００２０】
本発明は以上のように、シート成形容器を円形とし、Ａ４サイズの範囲に最大２８個の容器を配置したときに容器の収納部を最大限確保することができる。Ａ４サイズに範囲に一週間分（４個（１日分）×７日分）が配置できるので、蓋材に服用日時を印字するときに市販のインクジェットプリンターを使用することができるので、特殊なプリンターを導入することなく、利用することができる。
さらに、蓋材の形状が正六角形である為、切り離し後、６方向のどの方向からも開封可能であり、開け易い。また、シート成形容器の外縁部は円形なので、容器内に服薬用のゼリー等を入れた状態で容器に口をつけて服用する場合でも、違和感なく服用するこができる。
【符号の説明】
【００２１】
１・・・・・・・・・軟包装材
２・・・・・・・・・シート成形容器
２１・・・・・・・・シール面
２１１・・・・・・・外端部
２２・・・・・・・・収納部
２２１・・・・・・・側壁
２２２・・・・・・・底部
３・・・・・・・・・蓋材
３０・・・・・・・・脆弱部
３０１・・・・・・・シール部
３１・・・・・・・・基材
３２・・・・・・・・シーラント層
３３・・・・・・・・バリア層
３４，３５・・・・・ポリエチレン層
【図１】
2019058233.tif 000003
【図２】
2019058233.tif 000004
【図３】
2019058233.tif 000005
【図４】
2019058233.tif 000006
【図５】
2019058233.tif 000007